(57)【特許請求の範囲】
【請求項１】
ト−チ棒本体（１）の先端部（１ａ）に、先端方向を開口（２ａ）した液体燃料（７）を充填する燃料室（２）を設け、この開口（２ａ）に、軸方向中心に炎芯支持管（５）を気密状態に支承し、その炎芯支持管（５）内に後端が前記燃料室（２）の突当り壁（２ｂ）に達し、前端が前記炎芯支持管（５）の先端外に突出する炎芯（６）を挿貫せしめて成る芯付きキャツプ（４）を嵌着し、さらに芯付きキャツプ（４）はその内部を中空にして、前記炎芯支持管（５）の外壁面（５ａ）と芯付きキャップ（４）の中空内壁面（４ｃ）とで液溜まり空間（８）を形成し、さらに前記芯付きキャップ（４）の先端を前記炎芯支持管（５）と密合させる突出管部（４ａ）に形成すると共に前記燃料室（２）内に臨んだ芯付きキャップ突当り壁（４ｂ）の中心に気密貫通させ、前記芯付きキャップ突当り壁（４ｂ）の偏心部位に貫通小孔（９）を備え、前記炎芯支持管（５）の先端部外壁面（５ａ）の軸方向に前記液溜まり空間（８）と外気とを連絡する連通横溝（１０）を形成して成るキャンドルト−チ棒。
【請求項２】
芯付きキャップ（４）の先端部に被せる揮発防止用の外キャップ（１２）を備えた請求項１のキャンドルト−チ棒。
【発明の詳細な説明】
【０００１】
【産業上の利用分野】
本発明は、結婚披露宴のキャンドルサ−ビスに用いるト−チ棒に関する。
【０００２】
【従来の技術】
これまでにも、結婚披露宴のキャンドルサ−ビスにおいてガス燃料を使用したライタ−着火方式のキャンドルト−チ棒が提供されている。
このガス燃料によるものは、燃料消耗が激しく、使用時間が極めて短く、通常１０分を持続させるのが精一杯である。ところが実際にはキャンドルサ−ビスの所要時間は１５分から２０分が多く、上記燃料持続時間をオ−バ−してしまい、途中交換を余儀なくされている。
【０００３】
また、会場内の循環空気流によってキャンドルト−チ棒の炎が消え易くなるため、キャンドルサ−ビスの時間に限って空気調整機器を停止している。
さらに、テ−ブルのキャンドル間の移動時に、ト−チ棒を急激に移動したりすると、その勢で炎が消えてしまい、せっかくの式典の盛り上がりが興覚めになることも間々ある。
そこで、本発明者は先に液体燃料型のキャンドルト−チ棒を提案したが、液漏れが生じたり、逆に液体燃料の出が悪かったり、また、燃焼中に液体燃料室が加熱されて液体燃料室内の液体燃料と空気が膨張し、液体燃料が吹出すなどの問題が発生した。
【０００４】
【発明が解決しようとする課題】
本発明は、従来のかかる実情に鑑みてなされたもので、キャンドルサ−ビス中途中交換せずに長時間使用可能で、気流があっても炎が消えにくく、さらに液漏れや液体燃料室の加熱による燃料の吹出し事故が起こらないキャンドルサ−ビス用のト−チ棒を提供するものである。
【０００５】
【課題を解決するための手段】
上記課題を解決するために、本発明は、ト−チ棒本体１の先端部１ａに、先端方向を開口２ａした液体燃料７を充填する燃料室２を設け、この開口２ａに、軸方向中心に炎芯支持管５を気密状態に支承し、その炎芯支持管５内に後端が前記燃料室２の突当り壁２ｂに達し、前端が前記炎芯支持管５の先端外に突出する炎芯６を挿貫させて成る芯付きキャツプ４を嵌着する。
【０００６】
さらに前記芯付きキャツプ４は、その内部を中空にして、前記炎芯支持管５の外壁面５ａと芯付きキャップ４の中空内壁面４ｃとで液溜まり空間８を形成し、さらに前記芯付きキャップ４の先端を前記炎芯支持管５と密合させる突出管部４ａに形成すると共に前記燃料室２内に臨んだ芯付きキャップ突当り壁４ｂの中心に気密貫通させ、前記芯付きキャップ突当り壁４ｂの偏心部位に貫通小孔９を備え、前記炎芯支持管５の先端部外壁面５ａの軸方向に前記液溜まり空間８と外気とを連絡する連通横溝１０を形成して成るものである。
また、前記芯付きキャップ４の先端部に被せる揮発防止用の外キャップ１２を備えたものである。
【０００７】
【実施例】
本発明を、図面に示した実施例に基づいて説明すると、
図１乃至図２に示すように、後端部にグリップ１３を備えた伸縮関節１１による伸縮型のト−チ棒本体１の先端部１ａに、先端方向を開口２ａした液体燃料７を充填する燃料室２を設け、この開口２ａに、軸方向中心に外径５ｍｍ、内径３ｍｍの炎芯支持管５を気密状態に支承し、その炎芯支持管５内に、後端が前記燃料室２の突当り壁２ｂに達し、前端が前記炎芯支持管５の先端外に突出する綿製紐状の炎芯６を液漏れが起こらない程度に強く充填して挿貫せしめて成る芯付きキャツプ４を嵌着する。
【０００８】
さらに前記芯付きキャツプ４は、図１に示すように、１ｍｍ厚のアルミ合金を用いてその内部を中空にして、前記炎芯支持管５の外壁面５ａと芯付きキャップ４の中空内壁面４ｃとで液溜まり空間８を形成する。
さらに前記芯付きキャップ４の先端を前記炎芯支持管５と密合させる外径７ｍｍ、内径５ｍｍの管を長さ７ｍｍ突出させて突出管部４ａ形成すると共に前記燃料室２内に臨んだ芯付きキャップ突当り壁４ｂの中心に気密貫通させる。
【０００９】
前記芯付きキャップ突当り壁４ｂの偏心部位に０．５ｍｍ径の貫通小孔９を備え、前記炎芯支持管５の先端部外壁面５ａの軸方向に前記液溜まり空間８と外気とを連絡する長さ９ｍｍ、深さ０．６ｍｍ、幅０．６ｍｍの連通横溝１０を二本形成する。
前記芯付きキャップ４はト−チ棒の後端部に備えたグリップ１３を握った時、芯付きキャップ突当り壁４ｂの貫通小孔９の位置がト−チ棒本体１の上側に位置されるように液体燃料室２の開口２ａに嵌着しておく。
なお図１中の３は芯付きキャップ４で液体燃料を密封するためのパッキン３である。
また、図２に示すように、揮発防止用のプラスチック製の外キャップ１２を前記芯付きキャップ４の先端部に被着させる。
またト−チ棒本体１を立てる台枠（図略）を別途用意すれば、そのまま或いは先端部を伸縮関節１１から分離してその台枠に立て掛け、キャンドルに替えて、誕生日、結婚記念日、クリスマス等の祝事にその場の雰囲気を盛り上げる灯として使用することができる。
【００１０】
【作用】
揮発防止用外キャップ１２を外してライタ−、マッチ等で先端部の炎芯に着火し、ト−チ棒本体１の後端部のグリップ１３を持ってキャンドルサ−ビスを行なう。
この時、ト−チ棒本体１の先端部を上向きに使用している場合には、液体燃料７は燃料室２内から漏れることはないが、下向きにした場合には、炎芯の繊維の隙間から液体が滲み出す虞がある。
しかし、本発明においては、口径の微小な貫通小孔９を備えた芯付きキャツプ４によって、液封され、先端を下向きにしても一旦液溜まり空間８に保留されるので、液洩れがなく、燃料の消費減圧に応じた必要な空気を燃料室２内に送り、炎芯支持管５内の炎芯６内を通して常に液体燃料７を炎芯６の先端に安定して供給できる。
さらに液体燃料が加熱されると貫通小孔９から液溜まり空間８に燃料が流入し、液溜まり空間８内に一時滞留される。さらに加熱されると連通横溝１０を通して液溜まり空間８の燃料が噴出し、炎芯６の炎と一体になって燃焼される。このために液体燃料が垂れ落ちることは全くない。
【００１１】
【発明の効果】
本発明は、液体燃料７を用いるので、キャンドルサ−ビス中、途中交換せずに連続長時間使用可能であり、従来の芯材を用いないガス燃料によるものと異なり、本発明は炎芯６に火力が保持されて、気流があっても炎が簡単に吹き消えることはない。
また、液体燃料の液漏れや、加熱による燃料の吹出し事故が起こる虞は全くなくなった。
結婚披露宴の会場係はもとより本人、参加者においても、最後まで安心して挙行できるのでキャンドルサ−ビスが良い思い出となるであろう。
【図面の簡単な説明】
【図１】本発明の先端側の要部を示す縦断側面図。
【図２】（イ）がト−チ棒本体の側面図、（ロ）がその先端側の要部を示す斜視図。
【符号の説明】
１    ト−チ棒本体
１ａ  ト−チ棒の先端部
２    燃料室
２ａ  燃料室の開口
２ｂ  燃料室の突当り壁
３    パッキン
４    芯付きキャツプ
４ａ  芯付きキャップの突出管部
４ｂ  芯付きキャップの突当り壁
４ｃ  芯付きキャップの中空内壁面
５    炎芯支持管
５ａ  炎芯支持管の外壁面
６    炎芯
７    液体燃料
８    液溜まり空間
９    貫通小孔
１０    連通横溝
１１    伸縮関節
１２    外キャップ
１３    ト−チ棒のグリップ
【図１】
0003643990.tif 000002
【図２】
0003643990.tif 000003